(57)【要約】  装置には、チャンバ型ドクタ（５１１）、ラスタ部材（５１０）及びチャンバ型ドクタ（５１１）内に設けられた少なくとも１つの、第１の流動要素（５１８）から構成された供給装置（５１）が設けられており、該供給装置は、混合装置から、帯電トナー粒子と坦体流体を有する現像液を受け取り、アプリケータローラ（５２０）に供給する。アプリケータローラ（５２０）から、現像液が潜像に依存して転写像（中間像）担体（１）に移行する。流動要素（５１８）とラスタ要素（５１０）との間に、ラスタ要素（５１０）の溜部乃至小保持器内のトナー粒子濃度を高めるような電圧を印加する。
2009516224.tif 000002
【特許請求の範囲】
【請求項１】
エレクトログラフィックプリンティング又はコピー装置での荷電トナー粒子及び坦体液体を有する現像液を用いて、印刷すべき像の、転写像（中間像）坦体上で形成された潜像(Potentialbild)を現像するための装置において、
供給装置（５１）が設けられており、該供給装置は、機能要素として少なくとも１つのチャンバ型ドクタ(Kammerrakel)（５１１）として、現像液を収容するためのラスタ部材（５１０）と、前記チャンバ型ドクタ（５１１）内に設けられた、少なくとも１つの、第１の流動要素（５１８）が設けられており、該第１の流動要素（５１８）と前記スクリーン部材（５１０）との間に、該ラスタ部材（５１０）の溜部乃至小保持器(Naepfchen)内のトナー粒子濃度が高められるような電圧が印加され、
アプリケータ装置（インキ付け装置）（５２）が設けられており、該アプリケータ装置（５２）は、前記供給装置（５１）から、現像液を受け取り、当該現像液を転写像（中間像）坦体（１）に供給することを特徴とする装置。
【請求項２】
現像液の搬送過程で、転写像（中間像）坦体（１）への経路に関与する機能要素にトナー粒子が不所望に堆積するのを回避するために、前記機能要素は、前記現像液の搬送路に関して、各サイクル内で前記機能要素の一方から前記機能要素の他方への前記現像液の移行のサイクリックな過程で、直ぐ次の機能要素に向かうように前記トナー粒子に力作用が形成され、先行の前記機能要素から離れるように前記トナー粒子に前記力作用が形成される請求項１記載の装置。
【請求項３】
各々荷電トナー粒子に作用する電場によって力作用が形成される請求項２記載の装置。
【請求項４】
力作用は、通電によって形成される請求項２または３記載の装置。
【請求項５】
現像液を搬送する機能要素は、ローラ又はベルトである請求項１から４迄の何れか１記載の装置。
【請求項６】
現像液を搬送する機能要素の各抵抗は、交互に高オーミック及び低オーミックである請求項５記載の装置。
【請求項７】
クリーニング装置（５３）が設けられており、該クリーニング装置は、潜像をアプリケータ装置（５２）上に現像した後残っている残留像をクリーニングにより取り除き、前記アプリケータ装置（５２）間に電圧が印加され、前記電圧は、前記残留像のトナー粒子の、前記クリーニング装置（５３）への移行を決定する請求項１から６迄の何れか１記載の装置。
【請求項８】
コンディショニング装置（５４）が設けられており、該コンディショニング装置（５４）は、アプリケータ装置（５２）に隣接して、現像液の移動方向で視て転写像（中間像）坦体（１）の前に設けられており、前記転写像（中間像）坦体（１）に供給される現像液は、トナー粒子が現像液内でアプリケータ装置（５２）の表面の方に移動するように制御される請求項１から７迄の何れか１記載の装置。
【請求項９】
供給装置（５１）は、機能要素として少なくとも１つのチャンバ型ドクタ(Kammerrakel)（５１１）とラスタローラ（５１０）を有しており、前記チャンバ型ドクタでは、前記ラスタローラ（５１０）は、前記チャンバ型ドクタ（５１１）から現像液を受け取る請求項１から８迄の何れか１記載の装置。
【請求項１０】
アプリケータ装置（５２）は、機能要素としてアプリケータローラ（５２０）又はアプリケータベルトを有している請求項１から９迄の何れか１記載の装置。
【請求項１１】
クリーニング装置（５３）は、機能要素として少なくとも１つのクリーニングローラ（５３０）又はクリーニングベルトを有している請求項１から１０迄の何れか１記載の装置。
【請求項１２】
ラスタローラ（５１０）は、アプリケータローラ（５２０）に較べて大きな抵抗を有しており、その結果、最小の電流移行が、ラスタローラ（５０１）とアプリケータローラ（５２０）との間の現像液用の移行領域に生じる請求項９，１０又は１１記載の装置。
【請求項１３】
現像液を搬送するアプリケータローラ（５２０）は、小さな抵抗を有しており、従って、当該アプリケータローラでの電圧降下は小さい請求項１０から１２迄の何れか１記載の装置。
【請求項１４】
クリーニングローラ（５３０）は、アプリケータローラ（５２０）に較べて大きな抵抗を有しており、その結果、最小の電流移行が、クリーニングローラ（５３０）とアプリケータローラ（５２０）との間の現像液用の移行領域に生じる請求項１０から１３迄の何れか１記載の装置。
【請求項１５】
ラスタローラ（５１０）乃至クリーニングローラ（５３０）の抵抗は、前記ラスタローラ（５１０）乃至前記クリーニングローラ（５３０）とアプリケータローラ（５２０）との間の電流移行は、<１０００μＡ／１ｍ、つまり、１０００μＡ／１ｍより小さく、有利には、<１００μＡ／１ｍ、つまり、１００μＡ／１ｍより小さい請求項９から１５迄の何れか１記載の装置。
【請求項１６】
クリーニングローラ（５３０）乃至ラスタローラ（５１０）の抵抗は、１０８Ω＊ｃｍ〜１０１０Ω＊ｃｍの範囲内であり、有利には、５＊１０８〜５＊１０９Ω＊ｃｍの範囲内であり、アプリケータローラ（５２０）の抵抗は、少なくともファクタ１０だけ導電性である請求項１５記載の装置。
【請求項１７】
アプリケータローラ（５２０）は、当該アプリケータローラの抵抗が<１０８Ω＊ｃｍ、つまり、１０８Ω＊ｃｍより小さく、有利には、１０５〜１０７Ω＊ｃｍである請求項１６記載の装置。
【請求項１８】
チャンバ型ドクタ（５１１）は、ラスタローラ（５１０）に向かって開いたチャンバ（５１２）を有しており、該チャンバは、流入口（５１３）と流出口（５１４）を備えており、該チャンバの前記流入口（５１３）は、現像液の供給量が、ラスタローラ（５１０）に移行する量よりも大きいか又は同じであり、且つ、流出量が前記流出口（５１４）を介して流出するように構成されている請求項９から１７迄の何れか１記載の装置。
【請求項１９】
現像液の、チャンバ型ドクタ（５１１）内への充分な供給及び分配によって、及び、前記チャンバ型ドクタ（５１１）内部の電場の支援によって、トナー粒子の、ラスタローラ（５１０）の溜部乃至小保持器内への充分な供給が達成可能である請求項１８記載の装置。
【請求項２０】
チャンバ型ドクタ（５１１）のチャンバ（５１２）内には、少なくとも第１の流動要素（５１８）が設けられており、該第１の流動要素（５１８）とラスタローラとの間に電圧が印加されている請求項１８又は１９記載の装置。
【請求項２１】
第一の流動要素（５１８）とラスタローラ（５１０）との間で電圧によって作用される電場の強度は、１０〜５＊１０４Ｖ／ｃｍの範囲内に選定されている請求項２０記載の装置。
【請求項２２】
付加的な機能要素として、第２の流動要素（５１９）が、第１の流動要素（５１８）に隣接してチャンバ（５１２）内に設けられており、該チャンバ（５１２）には、直流電圧成分及び交流電圧成分からなる電圧が印加されており、該印加の際、各成分は、ゼロにすることができ、前記電圧の極性は、第１の流動要素（５１８）の極性に対して逆であり、その結果、現像液は、ラスタローラ（５１０）の溜部乃至小保持器内にある残留液と混合され、乃至、チャンバ型ドクタ（５１１）内にトナー粒子が堆積するのが阻止される請求項２０又は２１記載の装置。
【請求項２３】
第２の流動要素（５１９）は、ラスタローラ（５１０）の回転方向で視て、第１の流動要素（５１８）の前に設けられている請求項２２記載の装置。
【請求項２４】
流動要素（５１８，５１９）は、ラスタローラ（５１０）に対して及びチャンバ（５１２）の内部輪郭に対して、現像液の流れが各流動要素（５１８，５１９）とラスタローラ（５１０）との間の間隙内で形成されるように設けられ、且つ、成形されており、前記流れは、ローラ表面の移動方向に対して同じ方向であり、軸方向にも半径方向にも貫流面の断続的な横断面の変化がなく、流速ゼロのゾーンが生じないように構成されている請求項２２又は２３記載の装置。
【請求項２５】
各流動要素（５１８，５１９）は、導電プロフィル要素として構成されており、前記各流動要素（５１８，５１９）は、チャンバ（５１２）内に当該流動要素の開口に隣接してラスタローラ（５１０）に対して平行に設けられており、前記チャンバ（５１２）の幅に亘って延びており、ラスタローラに対して１０〜２００μｍ、有利には、１００〜１０００μｍの範囲内の間隔を有している請求項２２から２４迄の何れか１記載の装置。
【請求項２６】
流動要素（５１８，５１９）は、ラスタローラ（５１０）に向かう方向に平らにされている横断部を有している請求項２２から２５迄の何れか１記載の装置。
【請求項２７】
クリーニング装置（５３）は、クリーニングローラ（５３０）及び別の機能要素として、前記クリーニングローラに当接したクリーニングドクタ（５３１）を有しており、
前記クリーニングローラ（５３１）は、ドクタにより除去された残留像が流れるハーフチャンバ（５３２）の部分である請求項１１から２６までのいずれか１記載の装置。
【請求項２８】
ハーフチャンバ（５３２）は、側方パッキング（５３６）、クリーニングドクタ（５３１）及びパン（５３３）を有しており、前記ハーフチャンバ（５３２）は、常に現像液のレベルが前記クリーニングドクタ（５３１）の上側であるように構成されており、その結果、クリーニングローラ（５３０）上に存在するトナー粒子が前記ハーフチャンバ（５３２）内に分散する請求項２７記載の装置。
【請求項２９】
ハーフチャンバ（５３２）のパン（５３３）内にトナー粒子が堆積するのを回避するため、乃至、前記トナー粒子の堆積を溶解するために、可動に駆動される要素、殊に、螺旋状のスピンドルが設けられている請求項２８記載の装置。
【請求項３０】
ハーフチャンバ（５３２）内のレベルの調整のために、排出ポンプを制御する充填度センサ（５３７）が設けられている請求項２７から２９までのいずれか１記載の装置。
【請求項３１】
ハーフチャンバ（５３２）内のレベルの調整のために、クリーニングドクタ（５３１）の上側に流出口（５３４）が設けられている請求項２７から３０までのいずれか１記載の装置。
【請求項３２】
別の機能要素として、クリーニング流動要素（５３５）がハーフチャンバ（５３２）内にクリーニングローラ（５３０）に隣接して設けられ、該クリーニングローラ（５３０）は、前記クリーニング流動要素（５３５）と前記クリーニングローラ（５３０）との間の範囲内に、前記クリーニングローラ（５３０）の表面の移動方向に対して同じ方向に配向された流れが生じるように設けられており、貫流面の断続的な横断面の変化が軸方向にも半径方向にも生じないようにされている請求項２７から３１までのいずれか１記載の装置。
【請求項３３】
クリーニング流動要素（５３５）に対するクリーニングローラ（５３０）の間隔は、１０〜２０００μｍ、有利には、１００〜１０００μｍに調整される請求項３２記載の装置。
【請求項３４】
クリーニング流動要素（５３５）は、クリーニングドクタ（５３１）の上側に、部分的に又は完全に、ハーフチャンバ（５３２）内の現像液のレベルの下側に設けられている請求項３２又は３３記載の装置。
【請求項３５】
クリーニング流動要素（５３５）には、直流電圧及び交流電圧成分からなる電位が印加され、該印加の際に、各成分はゼロにすることができ、正のトナー極性の場合、クリーニングローラ（５３０）及びクリーニングドクタ（５３１）の電位よりも負である請求項３２から３４までのいずれか１記載の装置。
【請求項３６】
クリーニングローラ（５３０）とクリーニング流動要素（５３５）との間の電圧は、トナー粒子が前記クリーニングローラ（５３０）の表面から除去されるが、前記トナー粒子が前記クリーニング流動要素（５３５）上に堆積するのは阻止されるように選定されている請求項３５記載の装置。
【請求項３７】
クリーニングローラ（５３０）とクリーニング流動要素（５３５）との間の電圧は、１０Ｖ〜５０００Ｖであり、有利には、２００Ｖ〜２０００Ｖである請求項３６記載の装置。
【請求項３８】
ハーフチャンバ（５３２）は、混合装置（ＭＳ）と接続されている請求項２７から３１までのいずれか１記載の装置。
【請求項３９】
コンディショニング装置（５４）が機能要素としてアプリケータローラ（５２０）の表面に隣接して設けられたコロトロン（５４０）であり、該コロトロン（５４０）には、同じ電位のトナー粒子に較べて電荷が前記アプリケータローラ（５２０）上に堆積されるような電位が印加されている請求項８から３８までのいずれか１記載の装置。
【請求項４０】
アプリケータローラ（５２０）に対して平行に設けられたワイヤコロトロン（５４０）が設けられている請求項３９記載の装置。
【請求項４１】
コンディショニング装置（５４）が機能要素としてコンディショナローラ（５４１）を有しており、該コンディショナローラ（５４１）には、同じ電位のトナー粒子に較べて電荷が前記アプリケータローラ（５２０）上に堆積されるような電位が印加されている請求項８から３９までのいずれか１記載の装置。
【請求項４２】
アプリケータローラ（５２０）とコンディショナローラ（５４１）との間の電圧は、１０Ｖ〜２０００Ｖの範囲内であり、有利には、２００Ｖ〜１０００Ｖの範囲内である請求項４１記載の装置。
【請求項４３】
コンディショナローラ（５４１）は、アプリケータローラ（５２０）よりも大きな抵抗を有している請求項４１又は４２記載の装置。
【請求項４４】
コンディショナローラ（５４１）は、アプリケータローラ（５２０）上に巻回されており、該巻回の際、前記コンディショナローラ（５４１）と前記アプリケータローラ（５２０）の速度比は、０．８：１〜１：０．８であり、有利には、１：１である請求項４１から４３までのいずれか１記載の装置。
【請求項４５】
コンディショナローラ（５４１）とアプリケータローラ（５２０）の直径は、前記アプリケータローラ（５２０）と前記コンディショナローラ（５４１）の間に分離流が形成され、該分離流が、前記アプリケータローラ（５２０）上の現像液の表面を平滑にする請求項４１から４４までのいずれか１記載の装置。
【請求項４６】
コンディショナローラ（５４１）の直径は、アプリケータローラ（５２０）の直径の０．１〜０．７の範囲内、有利には、０．２〜０．５である請求項４５記載の装置。
【請求項４７】
コンディショナローラ（５４１）にコンディショナドクタ（５４２）が当接している請求項４１から４６迄の何れか１記載の装置。
【請求項４８】
コンディショナローラ（５４１）は、電流を制限するコーティングを有しており、該コーティングは、１０８〜１０１０Ω＊ｃｍの特定の抵抗、有利には、５＊１０８〜５＊１０９Ω＊ｃｍを有している請求項４１から４７迄の何れか１記載の装置。
【請求項４９】
アプリケータローラ（５２０）は、コーティングを有しており、該コーティングは、１０〜１０９Ω＊ｃｍ、有利には、１０５〜１０７Ω＊ｃｍの特定の抵抗を有しており、４〜１２ｍｍ間、有利には、７〜１０ｍｍの層厚が設けられている請求項１０から４８迄の何れか１記載の装置。
【請求項５０】
アプリケータローラ（５２０）の表面は、ＮＢＲゴム又はＰＵＲゴム製のコーティングを有している請求項４９記載の装置。
【請求項５１】
アプリケータローラ（５２０）の表面は、２つの層から形成されており、該２つの層で、カバー層は、ＰＶＤＦ、ＥＣＯ、フルオレラストマ又はテフロン製である請求項４９記載の装置。
【請求項５２】
カバー層の層厚は、<０．７ｍｍ、つまり、０．７ｍｍより小さい請求項５１記載の装置。
【請求項５３】
ラスタローラ（５１０）の表面乃至クリーニングローラ（５３０）の表面は、コーティングを有しており、該コーティングの特定の抵抗は、１０８〜１０１０Ω＊ｃｍであり、層厚は、１０〜４００μｍ、有利には、５０〜２００μｍである請求項９から５２迄の何れか１記載の装置。
【請求項５４】
ラスタローラ（５１０）乃至クリーニングローラ（５３０）のコーティングの材料は、ＨａｒｔＣｏａｔ又はセラミック（Ａｌ酸化物、クロム酸化物、チタン酸化物又はそれらの混合物）である請求項５３記載の装置。
【請求項５５】
アプリケータ装置（５２）内で、アプリケータドクタ（５２０）がアプリケータベルトによって代替されている請求項９から５４迄の何れか１記載の装置。
【請求項５６】
クリーニング装置（５３）内で、クリーニングドクタ（５３０）がクリーニングベルトによって代替されている請求項１１から５５迄の何れか１記載の装置。
【請求項５７】
エレクトログラフィックプリンティング装置の転写像（中間像）坦体（１）上に設けられた潜像の現像方法において、請求項１から５６迄の何れか１記載の装置を用いることを特徴とする現像方法。
【請求項５８】
荷電トナー粒子及び坦体液体を有する現像液を、低トナー粒子濃度で、従って、低粘性で混合装置（ＭＳ）から取り出し、前記現像液が転写像（中間像）坦体（１）に移行する前に、潜像の着色に必要なトナー粒子濃度に高める請求項５７記載の方法。
【請求項５９】
現像液を、チャンバ型ドクタ（５１１）とラスタローラ（５１０）を有する供給装置（５１）によって、低トナー粒子濃度で混合装置（ＭＳ）から取り出し、
前記現像液を前記チャンバ型ドクタ（５１１）から前記ラスタローラ（５１０）の溜部乃至小保持器内に移行する際にトナー粒子に集中し、集中した形式でアプリケータローラ（５２０）に供給し、前記現像液を集中した形式で、転写像（中間像）坦体（１）の傍を案内する請求項５８記載の方法。
【請求項６０】
現像液の集中を、チャンバ型ドクタ（５１１）とラスタローラ（５１０）との間に電圧を印加し、該電圧を、ラスタローラ（５１０）の溜部乃至小保持器内のトナー粒子の数を高める請求項５９記載の方法。
【請求項６１】
現像液を、アプリケータローラ（５２０）上で、該アプリケータローラ上を移動するコンディショナローラ（５４１）によって、坦体液体からトナー粒子に引き受けることによって更に集中し、該集中前に転写像（中間像）坦体（１）に供給する請求項５８から６０迄の何れか１記載の方法。
【請求項６２】
コンディショナローラ（５４１）に、トナー粒子が現像液内でアプリケータローラ（５２０）上に当該アプリケータローラの表面の方向に押しのけるような電位を印加する請求項６１記載の方法。
【請求項６３】
転写像（中間像）坦体（１）上での潜像の現像後、アプリケータローラ（５２０）上に残っている現像液をクリーニングローラ（５３０）からクリーニングにより除去し、
クリーニングにより除去された現像液を、前記クリーニングローラ（５３０）からクリーニングドクタ（５３１）によってハーフチェンバ（５３２）内に掻き落とし、該ハーフチェンバから混合装置（ＭＳ）内に排出する請求項５７から６２までのいずれか１項記載の方法。
【請求項６４】
クリーニングローラ（５３０）のクリーニング機能の改善のために、電位を前記クリーニングローラに印加し、該電位によって、トナー粒子の移行を支援する請求項６３記載の方法。
【請求項６５】
アプリケータローラ（５２０）、ラスタローラ（５１０）、クリーニングローラ（５３０）及びコンディショナローラ（５４１）には、別個の電位が設けられている請求項６４記載の方法。
【請求項６６】
チャンバ型ドクタ（５１１）に、有利には、ラスタローラ（５１０）と同じ電位を印加し、任意に前記ラスタローラに較べてもっと高い電位を印加する請求項６５記載の方法。
【請求項６７】
クリーニングドクタ（５３１）及びハーフチェンバ（５３２）（側方密閉部）を、有利には、クリーニングローラ（５３０）の電位と同じ電位を印加し、任意に該クリーニングローラ（５３０）の電位よりももっと高い電位を印加する請求項６３から６６までのいずれか１項記載の方法。
【請求項６８】
アプリケータローラ（５２０）、ラスタローラ（５１０）、クリーニングローラ（５３０）及びコンディショナローラ（５４１）を、相互に適合された以下の特定の抵抗ρからシステムが形成されるように選定し、つまり、
−ρ（ラスタローラ）>ρ（アプリケータローラ）
−ρ（クリーニングローラ）>ρ（アプリケータローラ）
−ρ（コンディショナローラ）>ρ（アプリケータローラ）
から前記システムが形成されるように選定する請求項６３から６７までのいずれか１項記載の方法。
【発明の詳細な説明】
【技術分野】
【０００１】
例えば、紙または薄いプラスチックシートまたは金属箔等である種々の材料から成る最終像担体、例えば、枚葉紙または巻取形の記録担体等に単色または多色で印刷するために、例えば、光導電体等の潜像担体に像に依存して潜像（電荷像）を形成することが公知である。この潜像は、着色すべき領域と着色すべきでない領域とから成る印刷すべき像に相応する。潜像の着色すべき領域は、現像ステーション（着色ステーション）によってトナーを使用して可視化される。続いて、トナー像が、記録坦体上に転写される。
【０００２】
その際、潜像の着色のために、トナー粒子及び坦体流体を含む現像液を用いることができる。その際、坦体流体は、１０８Ω＊ｃｍより大きな抵抗を有している。可能な坦体流体は、特に、シリコンオイル及び炭化水素である。
【０００３】
デジタルプリントシステムでの電気泳動法による湿式現像（エレクトログラフィック現像）が、例えば、ＷＯ第２００５／０１３０１３号から公知である。ここでは、現像液として、シリコンオイルを含み、その中に分散された(dispergierten)色素粒子（トナー粒子）を備える担体流体が使用される。この詳細については、ＷＯ第２００５／０１３０１３号から知ることができ、本願の開示の構成要素である。
【０００４】
現像液を転写像（中間像）坦体に供給することは、アプリケータローラによって行うことができ、このアプリケータローラは、現像液をラスタローラを通して供給し、ラスタローラには、チャンバ型ドクタが設けられている。オフセット印刷から、チャンバ型ドクタをインク（着色剤）供給のために使うことが知られている（欧州特許庁公開特許第１０９７８１３号公報）。電気泳動法による印刷にチャンバ型ドクタを使用することは、ＷＯ公開第２００５／０１３０１３号に記載されている。公知のチャンバ型ドクタの欠点は、チャンバ型ドクタ内での現像液の流動が、所期のように案内されない点にある。従って、渦流が生じて、気泡が生じることがある。しかも、電位の支援なしに、ラスタローラの溜部乃至小保持器が充填され、その結果、トナー粒子がラスタローラに移行するのが制限される。それにより、達成可能な、面積単位当たりのトナー塗布量が制限され、従って、着色範囲、乃至、現像液がラスタローラに移行する速度、従って、一定の着色の際に、達成可能な処理速度が制限される。
【０００５】
ドイツ公開特許第４４０８６１５号公報から、チャンバ型ドクタと協働するラスタローラの構成が公知である。ラスタローラの溜部乃至小保持器の形状を拡大するために、チャンバ型ドクタ及びラスタローラに電圧が印加される。ラスタローラは、溜部乃至小保持器の形状を、電圧によって可変であるように構成されている。
【０００６】
Mathes, H.: "Gibt es die optimale Kammerrakel?"Fle-xo+Tief-Druck 1-2003, S. 54-58, Januar 2003,の第１部、Fle-xo+Tief-Druck 6-2003, S. 68-71, November 2003の第３部には、ラスタローラとチャンバ型ドクタからなる構成を実施することが記載されている。インクで充填する際にラスタローラの溜部乃至小保持器から空気を押し出すために、インクを圧力印加の下で、ラスタローラに供給することが提案されている。そのために、プロフィル体をチャンバ型ドクタ内にラスタローラに隣接して設けることができ、プロフィル体により、インク用の搬送チャネルがラスタローラに隣接して狭幅にされる。
【０００７】
潜像の現像後、アプリケータローラ上に残留している残留像のアプリケータローラのクリーニングは、欧州特許庁公開特許第０７２７７２０号公報によると、アプリケータローラに取り付けられているドクタによって行われる。従って、転写像（中間像）坦体用のニップ形成(Nipausbildung)に必要な、アプリケータローラの弾性コーティングが急速に摩耗される。それに対して、ドクタの押圧力が弱すぎる場合、クリーニングの効率が小さくなってしまい、そのことは、高い印刷パフォーマンス(Druckauslastung)の場合（印刷像の面積率）の場合、アプリケータローラのどの個所も、１周期後に同じトナー量／面積を有しているとは限らないから、メモリ効果を生じる。
【０００８】
アプリケータローラのクリーニングは、ドクタ付のクリーニングローラによって行ってもよい。その際、トナー粒子は、クリーニングローラの表面上に引っ張られるので、クリーニングローラ上でのドクタの作用位置で、過度に高いストレスがトナー粒子に加わることになる。これにより、トナー粒子が凝集し、巨視的に高濃度となる。ドクタの効率が不十分である場合、クリーニングローラ上に薄膜が形成されたり、又は、メモリ効果が形成されたりする。
【０００９】
本発明により解決されるべき問題点は、高い転写効率で、転写像（中間像）坦体上の潜像を安定して高い均一度で着色することができる装置及び方法を提供することにある。その際、高い印刷速度を可能にする必要がある。
【００１０】
別の問題点は、大きな面積率の領域に対して安定して着色することができるようにする点にある。更に、着色（非常に僅かな着色、非常に多い着色＝着色段階）に関して、着色段階の切換、切り換えられた面積率及び切り換えられた処理速度に関して大きなダイナミックな領域が可能であるようにする必要がある。要するに、高い処理安定性（長時間安定性）が、トナー粒子の最小の負荷によって達成される必要がある。
【００１１】
この問題点は、請求項１及び請求項５７の各要件によって解決される。
【００１２】
有利には、転写像（中間像）坦体への経路上の現像液の搬送過程に関与する機能要素を、各搬送過程で、その際関与している機能要素上でのトナー粒子の堆積時間が、電場の作用及び関与している各機能要素相互間の間隔に基づいて、機能要素から機能要素へのトナー粒子の各々の搬送時間よりも短いように構成するとよい。
【００１３】
転写像（中間像）坦体への経路上の現像液の搬送過程に関与する各機能要素上に各トナー粒子が堆積するのを回避するために、関与している各機能要素で、機能要素から機能要素への現像液の移行の周期的な過程内で、各周期内で、各々の機能要素に対して、及び、各々の機能要素から離れるように力作用が形成されるように、各機能要素が形成されている。
【００１４】
その際、力作用は、帯電されたトナー粒子に作用する電場によって形成され、又は、流動によって、即ち、剪断作用(Scherwirkung)によって形成することができる。トナー粒子の移行は、電気的な力作用の場合、それに関与する各機能要素が交互に高オーミック抵抗と低オーミック抵抗を有していることによって付加的に支援することができる。
【００１５】
従属請求項に、本発明の発展形態が記載されている。
【００１６】
転写像（中間像）坦体上に形成される、印刷すべき像の潜像の現像用の装置は、先ず、第１のコンポーネントとして、混合装置から現像液を取り出す供給装置を有している。
【００１７】
各コンポーネントは、機能要素として、
−  ラスタローラ、
−  チャンバ型ドクタ、
−  流動要素（チャンバ型ドクタの内部）、
を有している。
【００１８】
これらの間に、電場が印加され、当該電場により、低濃度の、従って、低粘性の流体を調量することができる。これは、混合装置及び供給装置内で、現像液が比較的低い粘性を有することができ、従って、一層容易に搬送することができるという利点を有している。ラスタローラ上で先ず、トナー粒子濃度が現像に必要な値に高められる。
【００１９】
更に、第２のコンポーネントとして、アプリケータ装置が設けられており、当該アプリケータ装置は、機能要素として、例えば、アプリケータローラ又はアプリケータベルトを有しており、アプリケータ装置は、供給装置から現像液を受け取り、供給装置から、現像液が、の潜像に依存して転写像（中間像）坦体に移行する。トナー粒子の移行を最適にするために、供給装置とアプリケータ装置との間に、供給装置からアプリケータ内へのトナー粒子移行の範囲が当該電圧によって決定されるような電圧が印加される。付加的に、それにより更に、現像液中のトナー濃度を高めることができる。
【００２０】
付加的に、第３のコンポーネントとして、潜像の現像後、アプリケータ装置上に残留している残留像をクリーニングにより除去するクリーニング装置が設けられる。クリーニング装置は、機能要素、クリーニングローラ、クリーニングドクタ及びクリーニング流動要素を有することができる。
【００２１】
有利には、クリーニング装置とアプリケータ装置との間に、残留像のトナー粒子の、アプリケータ装置からクリーニング装置への移行を決定する電圧を印加するとよい。
【００２２】
有利には、更に、クリーニングローラとクリーニング流動要素との間に、残留像のトナー粒子をクリーニングローラから取り除くのを容易にする電圧を印加するとよい。その結果、取り付けられているクリーニングドクタによるクリーニングローラのクリーニングが、トナー粒子の強い機械的負荷を生じることはなくなる。
【００２３】
供給装置のラスタローラ乃至クリーニング装置のクリーニングローラが、大きな抵抗を有している場合、供給装置とアプリケータ装置との間、乃至、クリーニング装置とアプリケータ装置との間での現像液用の移行領域に、有利には、<１０００μＡ／１ｍ、つまり、１０００μＡ／１ｍより小さく、有利には、<１００μＡ／１ｍ、つまり、１００μＡ／１ｍより小さい最小電流移行しか生じない。その際、電位変動は、その表面を介して、有利には、<１０Ｖ、つまり、１０Ｖより小さく安定して保持することができ、及び、種々異なる電位を安定して保持することができる。従って、現像液を搬送するアプリケータ装置（アプリケータローラ）は、小さな抵抗を有するようにすることができ、従って、その表面での電圧降下を小さくすることができ、その結果、アプリケータ装置と転写像（中間像）坦体（例えば、光導体）との間の現像間隙中にある電位差（この電位差は、光導体の充電電位乃至放電電位と、それらの間に設けられた、アプリケータ装置の対称なバイアス電位から生じる）は、大きな電場強度に変換される。例えば、アプリケータ装置の表面層は、抵抗が<１０８Ω＊ｃｍ、つまり、１０８Ω＊ｃｍより小さく、有利には、１０５〜１０７Ω＊ｃｍであるように選定することができる。
【００２４】
現像液を搬送する、クリーニング装置、供給装置又はアプリケータ装置の各機能要素は、各々少なくとも１つのローラにすることができ、このローラは、その特定の抵抗を上述の判定基準により決定するための表面コーティングを有している。その際、クリーニング装置（クリーニングローラ）内のローラ、及び、供給装置（ラスタローラ）内のローラの表面コーティングの抵抗は、１０６Ω＊ｃｍ〜１０１０Ω＊ｃｍ、有利には、５＊１０８Ω＊ｃｍ〜５＊１０９Ω＊ｃｍの範囲内にするとよく、アプリケータ装置（アプリケータローラ）内のローラの表面コーティングの抵抗は、少なくともファクタ１０だけ一層導電性にするとよい。現像液を搬送する機能要素は、ベルトでもよく、以下、ローラの説明の際に前提とするが、本発明はそれに限定されるものではない。
【００２５】
有利には、第４のコンポーネントとして、アプリケータ装置に隣接して、現像液の移動方向で見て転写像（中間像）坦体の前に、コンディショナ装置を設けるとよい。このコンディショナ装置を用いて、転写像（中間像）坦体に供給されるべき現像液を、トナー粒子が現像液中でアプリケータ装置の表面に向かって動くように制御することができる。それにより、現像液の表面に、主に坦体流体からなる層が形成され、その結果、転写像（中間像）坦体上の像のない個所が不所望に着色されるのが低減される。コンディショナ装置は、電位が印加されているコロトロン、例えば、ワイヤコロトロンから形成することができ、又は、電位が印加されているローラ（コンディショナローラ）から形成することができる。電位は、アプリケータローラ上の同じ極性のトナー粒子と比較して電荷が導入されるように選定する必要がある。コンディショナローラとアプリケータローラの直径が、アプリケータローラとコンディショナローラとの間の分離流が形成されるように選定されている場合、アプリケータローラ上の流体表面を平滑にすることができ、その結果、トナー粒子をアプリケータローラの表面上に均等に分布することができる。これにより、印刷像を改善することができる。
【００２６】
供給装置の有利な構成は、溜部乃至小保持器(Naepfchen)及びウェブ部(Stegen)を有するラスタローラ及びラスタローラに設けられたチャンバ型ドクタを有している。その際、チャンバ型ドクタは、ラスタローラの方に開いた、現像液の流入口と流出口を有するチャンバを有しており、その際、流入口は、現像液の供給量が、ラスタローラに移行し、且つ、過剰な量が流出口を介して流出する量よりも大きいか、又は、等しいように構成されている。ラスタローラの溜部乃至小保持器内へのトナー粒子の充分且つ均一な供給は、チャンバ型ドクタ内への現像液の充分な供給且つ分布によって、及び、チャンバ型ドクタ内部の電場の支援によって達成される。
【００２７】
チャンバ型ドクタの機能は、チャンバ内で、第１の流動要素が、現像液の分布用のラスタローラに隣接して、殊に、印刷方向に対して横方向に、ラスタローラへの現像液の移行の範囲内に設けられるようにして更に改善される。第１の流動要素とラスタローラとの間に電圧が印加されると、ラスタローラの溜部乃至小保持器内のトナー粒子濃度が高くなる。そのために、第１の流動要素とラスタローラとの間の電場の強度を、１０〜５＊１０４Ｖ／ｃｍの範囲内に選定することができる。
【００２８】
チャンバ型ドクタの機能の更なる改善は、第２の流動要素によって達成され、この第２の流動要素は、第１の流動要素に隣接して、チャンバ内に設けられており、第１の流動要素の極性に対して極性が反対の電圧が印加されている。これは、チャンバの現像液を、ラスタローラの溜部乃至小保持器内にある残留液（現像液がアプリケータローラに移行後更に残っている）と混合するのに使われる。第２の流動要素は、ラスタローラの回転方向で見て、第１の流動要素の前に設けられ、且つ、ラスタローラに隣接して位置している。
【００２９】
有利には、両流動要素が、ラスタローラ及びチャンバの内部輪郭に対して、現像液の流動が各流動要素とラスタローラとの間の間隙内で生じ、当該流動がラスタローラ表面の移動方向に対して同じ方向に配向されているように設けられ、且つ、成形されているとよい。その際、貫流面の非連続的な横断面の変化は軸方向にも半径方向にも生じず、流速ゼロのゾーンはない。各流動要素は、導電プロフィル要素として構成することができ、この導電プロフィル要素は、チャンバ内に当該チャンバの開口に隣接してラスタローラに対して平行に設けられ、且つ、チャンバの幅に亘って延びており、且つ、例えば、チャンバの各側壁に導電的に取り付けられている。大きな作用面を達成するために、各流動要素が、ラスタローラの方向に平らにするとよい。流動要素とラスタローラとの間隔は、１０〜２０００μｍ、有利には、１００〜１０００μｍに調整するとよい。
【００３０】
クリーニング装置は、クリーニングローラと、クリーニングローラに取り付けられたクリーニングドクタを有しているようにするとよい。その際、クリーニングドクタは、除去された残留像が流れるハーフチャンバの部分であるようにするとよい。そこから、残留液体は、混合装置内に排出されるようにするとよい。電位が印加されているハーフチャンバは、クリーニングローラ上に設けられたトナー粒子をハーフチャンバ内に分散することができるようにするために、現像液のレベルが常に、クリーニングドクタの上側に位置しているように構成されている。ハーフチャンバ内でのレベルの調整のために、充填度センサを設けるとよく、この充填度センサは、排出ポンプを制御し、又は、ハーフチャンバ内のレベルの調整を、クリーニングドクタの上側に設けられた流出口を通って行うことができる。
【００３１】
クリーニング装置の機能は、クリーニング流動要素によって改善することができ、このクリーニング流動要素は、ハーフチャンバ内にクリーニングローラに隣接して設けられており、且つ、このクリーニング流動要素は、クリーニング流動要素とクリーニングローラとの間の領域内で流動が生じ、この流動は、クリーニングローラの表面の移動方向と同じ方向に配向されており、流動横断面内に非連続性を有さないように形成されている。そのために、クリーニングローラとクリーニング流動要素との間隔は、１０〜２０００μｍ、有利には、１００〜１０００μｍに調整する必要がある。クリーニング流動要素をクリーニングドクタの上側に、ハーフチャンバ内の現像液のレベルの、部分的又は完全に下側に設けると最適である。更に、クリーニング流動要素に電位、例えば、正のトナー極性の場合に、クリーニングローラ及びクリーニングドクタの電位よりも負である電位を印加すると目的に適っている。クリーニングローラとクリーニング流動要素との間の電圧は、トナー粒子がクリーニングローラの表面から除去されるが、トナー粒子がクリーニング流動要素上に堆積するのは阻止されるように選定されている必要がある。クリーニングローラとクリーニング流動要素との間の電圧は、１０Ｖ〜５０００Ｖ、有利には、２００Ｖ〜２０００Ｖにするとよい。
【００３２】
ハーフチャンバ、パンの下側の領域内に、可動の要素、例えば、スパイラル状のスピンドルを、駆動部によって能動的に動かすことができる液体ミラーの下側に設けるとよい。それにより、トナー粒子がハーフチャンバ内に堆積するのを回避することができ、乃至、ハーフチャンバに形成されている堆積を溶解することができる。
【００３３】
本発明の装置の利点は、以下のようにまとめることができる：
−  トナー粒子は、現像液内に、各機能要素（ラスタローラ、アプリケータローラ、クリーニングローラ）で所定のように堆積され、乃至、そこから除去される。それにより、トナー粒子の変動（電荷、直径）が補償される。
【００３４】
−  ラスタローラの溜部乃至小保持器は、第１の流動要素とラスタローラとの間の電場の支援により、所定のようにトナー粒子が充填される。トナー濃度は、その際、ラスタローラの溜部乃至小保持器のトナー粒子の充填時に初めて高められ、つまり、予め、低い濃度故、流動性が良好な現像液を調量することができる。
【００３５】
−  ラスタローラ内でトナー濃度が高められ、乃至、安定化されて初めて、トナー粒子をアプリケータローラ内に充分に供給することができ、つまり、以下の場合：
ａ）  転写像（中間像）坦体の高い着色のために、アプリケータローラ上の現像液薄膜の厚みが、１〜２０μｍ、有利には、５〜１０μｍの場合；
ｂ）  高い速度の場合、例えば、<１．５ｍ／ｓｅｃ、つまり、１．５ｍ／ｓｅｃより小さく（ラスタローラとアプリケータローラとの間の移行）；
−  コンディショナローラを用いることは、以下の利点を有している：
１．  コンディショナローラは、アプリケータローラ上の現像液の表面に、主に坦体流体の層を形成し、従って、像のない個所に不所望に着色せずに、限界処理速度を高めることができ；
２．  コンディショナローラ及びアプリケータローラ及びそれらの調整可能な相対速度を適切に選択することによって、コンディショナローラとアプリケータローラとの間の間隙内の現像液の薄膜分離を安定化することができ、従って、アプリケータローラ上の現像液を平滑にすることができ、従って、転写像（中間像）坦体上にトナー粒子を均等に堆積することができ；
３．  コンディショナローラ上にある坦体流体をドクタにより除去することを介して、アプリケータローラ上に残留している現像液薄膜のトナー粒子濃度を高めることができる。それまで、良好な流動性の現像液を調量することができる。それに対して、アプリケータローラと転写像（中間像）坦体との接触の際に、濃度の高い現像液により、現像液の比較的僅かな薄膜厚にすることができ、従って、電場を高めることができ、従って、殊に、高い処理速度の場合に、転写像（中間像）坦体上のトナー粒子の堆積を改善することができる。
【００３６】
図面に示された実施例に基づき本発明を詳細に説明する。
【００３７】
ここで
図１は、エレクトログラフィックプリンティングシステムの原理図、
図２は、機能要素に印加される電位を示した、装置の構成を示す図、
図３は、供給装置の別の構成を示す図、
図４は、現像装置内のコンディショナ装置の構成を示す図、
図５は、現像装置内のコンディショナ装置の第２の構成を示す図
である。
【００３８】
図１は、例えば、ＷＯ第２００５／０１３０１３号から公知であるような、プリンティングシステムＤＳの各コンポーネントを示しており、本願明細書では、当該文献の開示を利用している。転写像（中間像）坦体１、つまり、図１では光導電体ドラムに沿って、再生露光部２、帯電ステーション３、像の露光用エレメント４、現像装置５、現像された潜像を記録坦体７上に転写するための転写ユニット６、光導電体ドラムのクリーニング用のエレメント８が設けられている。転写ユニット６は、弾性転写ローラ６０、対向加圧ローラ６１及びクリーニングユニット６２を有している。
【００３９】
図１で、光導電体ドラムに沿って設けられた各コンポーネントのうち、以下、現像装置５について詳細に説明し、それ以外の各コンポーネントの構成及び機能については公知であり、例えば、ＷＯ第２００５／０１３０１３号から知ることができる。
【００４０】
現像装置５は、供給装置５１、アプリケータ装置５２、クリーニング装置５３及び任意にコンディショニング装置５４を有している（図２）。
【００４１】
アプリケータ装置５２は、アプリケータローラ５２０、又は、現像ベルトにするとよく、これらは、転写像（中間像）坦体１に対して接触するように設けられている。以下、アプリケータローラ５２０について説明するが、本発明は、それに限定されない。アプリケータ見ローラ５２０を用いて、潜像が転写像（中間像）坦体１上に現像される。そのために、アプリケータローラ５２０は、少なくとも坦体流体と帯電トナー粒子からなる現像液を、転写像（中間像）坦体１に供給する。現像は、公知のように行われる。
【００４２】
現像液は、アプリケータローラ５２０に供給装置５１によって供給される。この供給装置５１は、溜部乃至小保持器及びウェブ部(Stegen)を有するラスタローラ５１０及びラスタローラ５１０に設けられたチャンバ型ドクタ５１１を有している。チャンバ型ドクタ５１１は、チャンバ５１２、流入口５１３及び流出口５１４から構成されている。図１のチャンバ型ドクタ５１１は、ＷＯ第２００５／０１３０１３号に記載されている。現像液は、混合装置ＭＳから取り出されて、第１のポンプ５１５によってチャンバ型ドクタ５１１に供給される。チャンバ５１２内の余分な現像液は、流出口５１４を介して溜槽５１６に流し、溜槽５１６から、現像液は、第２のポンプ５１７を用いて混合装置ＭＳ内にポンピングされる。
【００４３】
供給装置５１の詳細な構成は、図２及び図３から分かる。供給装置５１は、チャンバ５１２、流入口５１３、流出口５１４、及び、溜部乃至小保持器及びウェブ部(Stegen)を有するラスタローラ５１０を有している。ラスタローラ５１０に対して開いた、チャンバ型ドクタ５１１のチャンバ５１２内には、隔離された第１の流動要素５１８がラスタローラ５１０の隣に設けられており、ラスタローラには、電位ＵＲＷ＿Ｐｏｔ−ｅｌｅｍｅｎｔを印加することができる。実施例では、チャンバ５１２内には、隔離された第２の流動要素５１９が設けられており、この第２の流動要素５１９には、第１の流動要素５１８とは無関係に電位ＵＲＷ＿Ｐｏｔ−Ｅｌｅｍｅｎｔ２を印加することができる。流動要素５１８，５１９は、ラスタローラ５１０に対して平行であり、チャンバ５１の幅に亘って延びている。流動要素５１８，５１９は、チャンバ５１２の各側壁に、電気的に絶縁して取り付けることができ、導電性のプロフィル要素から構成するとよい。チャンバ５１２は、同様に、電位ＵＫａｍｍｅｒを印加することができ、ラスタローラ５１０には、電位ＵＲＷを印加することができる。
【００４４】
現像液内のトナー粒子を、ラスタローラ５１０の溜部乃至小保持器内に充分に供給することは、高印刷速度で、転写像（中間像）坦体１上の潜像の高い着色に不可欠であり、そのことは、チャンバ型ドクタ５１１内に現像液を充分に供給して分布することによって、及び、チャンバ型ドクタ５１１内部の電場の支援によって達成される。その際、ラスタローラ５１０に沿った現像液の貫流容量と、ラスタローラ５１０と、電位ＵＲＷ＿Ｐｏｔ−ｅｌｅｍｅｎｔが印加された第１の流動要素５１８との間の間隔の結果達成可能な電場の強度の最適値が達成される。
【００４５】
供給される現像液は、流入口５１３を介してチャンバ型ドクタ５１１内に以下のようにして分布される；
−  流入口５１３を介して供給される流体量は、ラスタローラ５１０の溜部乃至小保持器及び流出口５１４を介して流出することができる量よりも常に大きいか、又は、等しく；
−  過剰な現像液量は、流出口５１４を介して流出することができ、
−  チャンバ５１２内に設けられた流動要素５１８，５１９は、印刷方向に対して横方向に現像液を分布することを可能にし、支援し；
−  流動要素５１８，５１９は、ラスタローラ５１０及びチャンバ５１２の内部輪郭に対して以下のようにして設けられ、且つ、形成されており、つまり、流動横断面内で現像液が非連続的に流れず、その結果として、各流動要素５１８，５１９と、ラスタローラ５１０との間の間隙内に、ラスタローラ５１０の表面の移動方向に対して同じ方向に配向されている流れが生じるように分布されている。
【００４６】
電場の支援は、第１の流動要素５１８とラスタローラ５１０との間の電圧によって達成される。電圧は、任意に、重畳交流電圧成分を有していてよい。その際、第１の流動要素５１８の装置構成及び輪郭は、電場の強度ピーク値が生じず、第１の利流動要素５１８とラスタローラ５１０との間の領域が常に現像液で充填されているように作用する。それに相応して、達成可能な電場の強度は、明らかに、空気の降伏電場強度(Luftdurchbruchfeldstaerke)よりも高く、１０〜５＊１０４Ｖ／ｃｍの範囲内にある。
【００４７】
任意に、純粋な交流電圧又は極性が逆の直流電圧と組み合わせて重畳された交流電圧を印加することができる第２の流動要素５１０を用いてもよい。第２の流動要素５１０は、ラスタローラ５１０の回転方向で見て、第１の流動要素５１８の前に設けられている。第２の流動要素５１９とラスタローラ５１０との間の電場は、従って、現像液を、ラスタローラ５１０の溜部乃至小保持器内にある残留液体と混合するのに使われる。第１の流動要素５１８とラスタローラ５１０との間の電場は、それに対して、ラスタローラ５１０の溜部乃至小保持器内のトナー濃度を高めるのに使われる。
【００４８】
供給装置５１をこのように構成することによって、ラスタローラ５１０の溜部乃至小保持器は、第１の流動要素５１８とラスタローラ５１０との間の電場の支援によって決められて、トナー粒子で充填されている。トナー濃度は、その際、ラスタローラ５１０の溜部乃至小保持器の充填時に初めて高められ、つまり、予め、低い濃度故、流動性が良好な現像液を調量することができる。
【００４９】
クリーニング装置５３は、図２によると、クリーニングローラ５３０又はクリーニングベルトとして構成されたクリーニング要素を有しており、クリーニング要素は、アプリケータローラ５２０に取り付けられており、以下、説明では、クリーニングローラは、例として用いられる。クリーニングローラ５３０には、クリーニングドクタ５３１が取り付けられており、クリーニングドクタ５３１は、アプリケータローラ５２０からクリーニングローラ５３０によりクリーニングされた残留像をこすって取り去る。クリーニングドクタ５３１は、パン５３３と排出口５３４を有するハーフチャンバ５３２の一部分である。任意に、充填度センサ５３７を設けてもよい。ハーフチャンバ５３２内には、電気的に絶縁されたくーニング流動要素５３５を設けるとよい。
【００５０】
クリーニングローラ５３０に設けられたクリーニングドクタ５３１は、ハーフチャンバ５３２内に統合されている。これは、側方パッキング５３６、クリーニングドクタ５３１及びハーフチャンバ５３２を有している。従って、クリーニングドクタ５３１により、クリーニングローラ５３０からこすって取り去られた現像液が全てハーフチャンバ５３２内に流れるようになる。ハーフチャンバ５３２は、現像液の、クリーニングドクタ５３１の上側のレベルが保持されるように構成されており、その結果、クリーニングローラ５３０上のトナー粒子が、既存の量の現像液に分散される。そのために、クリーニングドクタ５３１のレベルの上側の排出口５３４か、又は、充填度センサ５３７を介して調整可能な排出ポンプ（図２に示されていない）が設けられている。
【００５１】
現像液中にトナー粒子を分散するのを支援するために、クリーニング流動要素５３５を、クリーニングローラ５３０の近くのクリーニングドクタ５３１の上側に、部分的又は完全に現像液のレベルの下側に設けるとよい。距離は、１０〜２０００μｍの範囲内、有利には、１００〜１０００μｍ内にするとよい。クリーニング流動要素５３５に印加される電位ＵＲｅＷ＿Ｐｏｔ−Ｅｌｅｍｅｎｔ３は、正のトナー粒子極性の場合、クリーニングドクタ５３１のレベルＵＨａｌｂｋａｍｍｅｒ及びクリーニングローラ５３０の電位ＵＲｅＷよりも負である。それから導出される電圧は、トナー粒子をクリーニングローラ５３０の表面から取り去るのに充分な大きさであるが、クリーニングローラ５３０とクリーニング流動要素５３５との間の間隙内の流動により、クリーニング流動要素５３５にトナー粒子が堆積するのが阻止されるのにはあまり充分ではない。電圧は、１０Ｖ〜５０００Ｖ、有利には、２００〜２０００Ｖである。
【００５２】
付加的に、クリーニング流動要素５３５は、クリーニング流動要素５３５とクリーニングローラ５３０との間の間隙内で流動横断面内に非連続性が生じることがなく、従って、クリーニング流動要素５３５とクリーニングローラ５３０との間の間隙内に流動が生じ、当該流動が、クリーニングローラ５３０の表面の運動方向に対して同じ方向に配向されるように成形される。
【００５３】
更に、ハーフチャンバ５３２のパン５３３内に、可動要素、例えば、スパイラル状のスピンドルを、駆動される流体ミラーの下側に設けるとよい。この要素は、能動的に駆動部によって動かしてもよく、例えば、堆積の理由で駆動が比較的長く休止した後、堆積を回避乃至堆積物を溶解するのに使われる。
【００５４】
任意に設けてもよいコンディショニング装置５４は、トナー粒子の極性の電位が印加されているコロトロン、例えば、ワイヤコロトロン５４０（図４）から構成するか、又は、コンディショニングローラ５４１（図５）から構成するとよい。
【００５５】
コロトロン５４０上には、アプリケータローラ５２０上のトナー粒子と同じ極性の電荷が形成される。絶縁性の坦体流体により、現像液の表面に電荷が残留する。その結果、トナー粒子は、現像液の薄膜の表面からアプリケータローラ５２０の方向に押しのけられ、現像液上に坦体流体からなるカバー層が形成され、この現像液は、後続の現像ステップで、転写像（中間像）坦体１上の像がない個所上にトナーが堆積するのを回避するために使われる。
【００５６】
図５から、コンディショナローラ５４１を有するコンディショニング装置５４の構成が分かる。これは、アプリケータローラ５２０上の現像液の薄膜と接触している。コンディショナローラ５４１には、アプリケータローラＵＡＷの電位よりも高い別個の電位ＵＫｏｎが印加されている。コンディショナローラ５４１とアプリケータローラ５２０との間に形成される電圧は、１０Ｖ〜２０００Ｖ、有利には、２００Ｖ〜１０００Ｖの範囲内である。アプリケータローラ５２０及びコンディショナローラ５４１は、順次回転していく。コンディショナローラ５４１の表面速度は、アプリケータローラ５２０に比較して、０．８：１〜１：０．８、有利には、１：１である。
【００５７】
コンディショナローラ５４１の直径を適切に選択することによって、付加的に、コンディショナローラ５４１とアプリケータローラ５２０との間の分離流が形成される。コンディショナローラ５４１の直径は、そのために、アプリケータローラ５２０の直径の０．１〜０．７の範囲内、有利には、０．２〜０．５の範囲内に選定される。分離流は、コンディショナローラ５４１の僅かな直径により、アプリケータローラ５２０の表面に対して垂直方向の特徴的な速度ベクトルを有している。薄膜の分離の際に、各ローラのコンタクトに応じて生じる流体の層厚は、僅かな周期長（<１００μｍ、つまり、１００μｍより小さく）、及び、それと同時に僅かな振幅を有している。これにより、流体表面に顕微鏡的に平滑に作用し、それに応じて、トナー粒子をアプリケータローラ５２０上に均等に分布するように、更に、後続して印刷像内で均等に分布するように作用する。
【００５８】
任意に、コンディショナローラ５４１にコンディショナドクタ５４２を設けてもよい。コンディショナドクタ５４２は、コンディショナローラ５４１上にある、印加されている電場に基づいてトナー粒子が小数となった坦体流体を取り除き、この坦体流体を混合装置ＭＳ内に戻す。それに相応して、アプリケータローラ５２０上に残留している、現像液の薄膜は、それと同時に僅かな全層厚で、トナー粒子の高い濃度を有している。間隙内の電場の強度は、変化せずに印加されている各電位及び両者間の間隔によって決められる。間隔は、現像液の低減した層厚に相応して低減し、従って、現像過程にとって有利な高い、転写像（中間像）坦体１とアプリケータローラ５２０との間の間隙内の電場強度が生じる。
択一的に、コンディショナ装置に至る迄、濃縮された低い現像液、従って、流動性が良好な現像液を使用することができる。
【００５９】
各装置内で使用されているローラ（ラスタローラ５１０、クリーニングローラ５３０、コンディショナローラ５４１、アプリケータローラ５２０）は、各々表面コーティングを有している。このコーティングは以下のように選定されている；
−  直接コンタクト（例えば、ラスタローラ５１０のウエブ部の、アプリケータローラ５２０へのコンタクト、クリーニングローラ５３０又はコンディショナローラ５４１の、アプリケータローラ５２０へのコンタクト）を介して電流が流れないか、又は、各ローラの種々異なった電位が、接続された網部分によって安定して保持することができる（電流は、有利には、<１００μｍ／１ｍ、つまり、１００μｍ／１ｍより小さなローラ幅；電位変動は有利には<＋／−１０Ｖ、つまり、＋／−１０Ｖより小さい）ように僅かな電流しか流れず；
−  その際（有利には）、電流を制限するコーティングは、アプリケータローラ５２０上ではなく、各々当接するローラ（５１０，５３０，５４１）上に形成され；
・  その際、アプリケータローラ５２０の導電性のコーティングを形成するために（特定の抵抗<１０７Ω＊ｃｍ、つまり、１０７Ω＊ｃｍより小さい）、それにより、アプリケータローラ５２０のコーティングを介して、僅かな電圧降下が生じ（<１０Ｖ、つまり、１０Ｖより小さい）；
・  従って、現像間隙（アプリケータローラ５２０と転写像（中間像）坦体１との間隙）内に生じている電位差（転写像（中間像）坦体１の充電電位乃至放電電位と、それらの間に対称的に設けられている、できる限り大きな電場強度（電圧／層厚）内のアプリケータローラ５２０のバイアス電位との間隔から生じる）が、現像間隙内の現像液を介して変換され；
−  電流を制限する、ラスタローラ５１０、クリーニングローラ５３０及びコンディショナローラ５４１上のコーティングは、１０８Ω＊ｃｍ〜１０１０Ω＊ｃｍ、有利には、５＊１０８〜５＊１０９Ω＊ｃｍの範囲内であり、その際、このコーティングを介して生じる電圧降下は、<１００Ｖ、つまり、１００Ｖより小さく；
−  従って、各コンタクト個所に、電流制限部が設けられる。
【００６０】
弾性アプリケータローラ５２０のコーティングは、１０４〜１０８Ω＊ｃｍ、有利には、１０５〜１０７Ω＊ｃｍの範囲内の特殊な抵抗を有することができ、各抵抗の変動は、<＋／−２０％、つまり、＋／−２０％より小さく（有利には<＋／−１０％）であり、層厚は、３〜１２ｍｍ、有利には、７〜１０ｍｍである。材料としては、殊に、ＮＢＲゴム、ＰＵＲゴムを選択することができる。アプリケータローラ５２０のコーティングが２つの層を有している場合、外側の層は、ＰＶＤＦ、ＥＣＯ、フルオレラストマ、テフロン製にするとよく、層厚は<０．７ｍｍ、つまり、０．７ｍｍより小さく、内側の層は、上述の各材料から形成される。
【００６１】
ラスタローラ５１０及びクリーニングローラ５３０のコーティングは、１０８Ω＊ｃｍ〜１０１０Ω＊ｃｍの抵抗を有しており、層厚は、１０〜４００μｍ、有利には、５０〜２００μｍである。材料としては、特に、ハードコート、セラミック（Ａｌ酸化物、クロム酸化物、チタン酸化物又はそれらの混合物）を選択することができる。
【００６２】
本発明の装置の説明から分かるように、全ての機能要素には、所定の電位が印加されている。電位の選択のために、以下の観点が選択された：
−  全ての電位は、直流電圧成分と交流電圧成分との重畳から生じ、その際、各成分は、ゼロであり得；
−  全てのローラ（ベルト）、つまり、アプリケータローラ５２０、ラスタローラ５１０、クリーニングローラ５３０及びコンディショナローラ５４１には、別個の電位が印加されており；
−  チャンバ型ドクタ５１１は、有利には、ラスタローラ５１０と同じ電位であり、任意に、ラスタローラ５１０に較べて高い電位にしてもよく；
−  クリーニングドクタ５３１及びハーフチャンバ５３２（側方のパッキング）は、有利には、クリーニングローラ５３０と同じ電位を有しており、任意に、もっと高い電位にしてもよく；
−  流動要素５１８，５１９，５３５の電位は、上述されている。
電位は、ローラ（５１０，５２０，５３０，５４１）では、当該ローラのコアに印加され、バンドでは、当該バンドの内側に印加される。
【００６３】
上述の、各機能要素間の電位差は、説明では、電圧として記載されている。
【００６４】
各ローラの表面コーティングは、相互に適合された特殊な抵抗ρの系を形成する。
−ρ（ラスタローラ）>ρ（アプリケータローラ）
−ρ（クリーニングローラ）>ρ（アプリケータローラ）
−ρ（コンディショナローラ）>ρ（アプリケータローラ）
本発明の装置の特別な利点は、要するに以下の通りである：
−  転写像（中間像）坦体１への経路上の現像液の搬送過程に関与する各機能要素（例えば、ラスタローラ５１０、アプリケータローラ５２０）の場合、各搬送過程で、トナー粒子の堆積時間は、各々の機能要素間の現像液用の各々の搬送ゾーンの長さと過程の速度（機能要素から機能要素へのトナー粒子の各々の搬送時間）の商よりも小さい。これは、各抵抗と関与している各機能要素の各キャパシタンスの組み合わせを介しての電場の作用、及び、関与している各機能要素の間隔に基づいて相互に達成される。
式として、このことは、以下のように定式化することができる：
ｌＮｉｐ／νＰｒｏｚｅｓｓ＞ｄＮｉｐ／νＡｂｌａｇｅｒｕｎｇ
ここで、
νＡｂｌａｇｅｒｕｎｇ＝μ・Ｅ
但し、μ＝トナーの可動性、Ｅ＝電場強度；
l＝搬送ゾーンの長さ；
ν＝速度、ｄ＝搬送ゾーンの厚みであり、
−  転写像（中間像）坦体１への経路上の現像液の搬送過程に関与する各機能要素上に各トナー粒子が永久に付着するのを回避するために、これらは、関与している各機能要素で、現像液の移行の周期的な過程内で、又は、機能要素から機能要素のトナー粒子の一部分が、各周期内で機能要素に対して、及び、機能要素から離れるように力作用を形成するように形成されている。力作用は、帯電されたトナー粒子に作用する電場によって形成され、又は、流動によって、即ち、剪断作用(Scherwirkung)によって形成することができる。
【図面の簡単な説明】
【００６５】
【図１】エレクトログラフィックプリンティングシステムの原理図
【図２】機能要素に印加される電位を示した、装置の構成を示す図
【図３】供給装置の別の構成を示す図
【図４】現像装置内のコンディショナ装置の構成を示す図
【図５】現像装置内のコンディショナ装置の第２の構成を示す図
【符号の説明】
【００６６】
ＤＳ  印刷システム
ＭＳ  混合装置
１  転写像（中間像）担体
２  再生露光部
３  帯電ステーション
４  像どおりの露光
５  現像装置
６  転写ユニット
７  記録担体
８  クリーニング要素
６１  転写ベルト
６２  対向加圧ローラ
６３  クリーニングユニット
５１  供給装置
５２  アプリケータ装置
５３  クリーニング装置
５４  コンディショナ装置
５２０  アプリケータローラ
５１０  ラスタローラ
５１１  チャンバドクタ
５１２  チャンバドクタのチャンバ
５１３  流入口
５１４  流出口
５１５  第１のポンプ
５１６  溜槽
５１７  第２のポンプ
５１８  第１の流動要素
５１９  第２の流動要素
５３０  クリーニングローラ
５３１  クリーニングドクタ
５３２  ハーフチャンバ
５３３  ハーフチャンバのパン
５３４  ハーフチャンバの排出口
５３５  クリーニング流動要素
５３６  パッキング
５４０  ワイヤコロトロン
５４１  コンディショナローラ
５４２  コンディショナドクタ
【図１】
2009516224.tif 000003
【図２】
2009516224.tif 000004
【図３】
2009516224.tif 000005
【図４】
2009516224.tif 000006
【図５】
2009516224.tif 000007
【国際調査報告】
2009516224.tif 000008
2009516224.tif 000009
2009516224.tif 000010
2009516224.tif 000011